(57)【要約】【課題】＋ＶＲフォーマットに準拠して映像情報が予め格納されたＤＶＤから他の記録媒体に利便性良好にダビングする。【解決手段】ＤＶＤレコーダ１のＭＰＵ１１は、リモコン３を介してユーザからの操作入力を受け付けて、受け付けられた操作入力に基づいて、所定数のチャプタの中から、再生を禁止するチャプタである隠しチャプタを設定するチャプタ設定部１１１と、リモコン３を介してユーザからの映像情報をＨＤＤ１９１のハードディスクに記録する旨の操作入力であるダビング指示入力を受け付けて、このダビング指示入力が受け付けられた場合に、隠しチャプタに設定されたチャプタを含む所定数のチャプタからなる映像情報をＤＶＤ記録部１９２に載置されたＤＶＤから読み出して、読み出された映像情報をＨＤＤ１９１のハードディスクに記録するダビング実行部１１３と、を備えている。【選択図】図２
2008269731.tif 000002
【特許請求の範囲】
【請求項１】
２以上の所定数のチャプタからなる映像情報が＋ＶＲフォーマットに準拠して予め格納されたＤＶＤ（Ｄｉｇｉｔａｌ  Ｖｅｒｓａｔｉｌｅ  Ｄｉｓｋ）から、前記映像情報を読み出して、他の記録媒体に記録可能に構成された映像記録装置であって、
外部からの操作入力を受け付けて、受け付けられた操作入力に基づいて、前記所定数のチャプタの中から、再生を禁止するチャプタである隠し（Ｈｉｄｄｅｎ）チャプタを設定するチャプタ設定手段と、
外部からの前記映像情報を前記他の記録媒体に記録する旨の操作入力であるダビング指示入力を受け付けて、該ダビング指示入力が受け付けられた場合に、前記チャプタ設定手段によって隠しチャプタに設定されたチャプタを含む前記所定数のチャプタからなる映像情報を前記ＤＶＤから読み出して、読み出された映像情報を前記他の記録媒体に記録するダビング実行手段と、
を備えることを特徴とする映像記録装置。
【請求項２】
前記チャプタ設定手段によって設定された隠しチャプタに対応する識別情報を、再生対象のチャプタに対応する識別情報がリストとして前記ＤＶＤに格納されたプレイリスト情報から削除するリスト更新手段を備え、
前記ダビング実行手段は、前記ダビング指示入力が受け付けられた場合に、前記ＤＶＤに格納されたプレイリスト情報を読み出して、読み出されたプレイリスト情報を前記他の記録媒体に記録することを特徴とする請求項１に記載の映像記録装置。
【請求項３】
前記他の記録媒体は、ハードディスクであることを特徴とする請求項１又は請求項２に記載の映像記録装置。
【請求項４】
前記ＤＶＤは、ＤＶＤ＋Ｒ又はＤＶＤ＋ＲＷを含むことを特徴とする請求項１〜請求項３のいずれかに記載の映像記録装置。
【発明の詳細な説明】
【技術分野】
【０００１】
本発明は、２以上の所定数のチャプタからなる映像情報が＋ＶＲフォーマットに準拠して予め格納されたＤＶＤ（Ｄｉｇｉｔａｌ  Ｖｅｒｓａｔｉｌｅ  Ｄｉｓｋ）から、前記映像情報を読み出して、他の記録媒体に記録可能に構成された映像記録装置に関する。
【背景技術】
【０００２】
テレビジョン放送を受信し、受信したテレビジョン放送の映像情報をＤＶＤ等の記録媒体に記録し、必要に応じて接続されたテレビジョン装置で再生するＤＶＤレコーダ等の映像記録装置が普及している。また、ＤＶＤに格納された映像情報の内、ユーザが視聴を所望しないチャプタ（例えば、コマーシャルに対応するチャプタ）を、再生を禁止するチャプタである隠し（Ｈｉｄｄｅｎ）チャプタとして設定する種々の方法、装置が提案されている。
【０００３】
例えば、ＨＤＤ、ＤＶＤ等に格納された映像データの複数のチャプタ情報により区切られる複数のチャプタ映像データのうち所定のチャプタ映像データの位置情報を取得してプレイリストに一括変換するＤＶＤレコーダが開示されている（特許文献１参照）。このＤＶＤレコーダによれば、ユーザが視聴したいチャプタのみを一括してプレイリストに変換することができる。
【特許文献１】特開２００６−１７２６１８号公報
【発明の開示】
【発明が解決しようとする課題】
【０００４】
しかしながら、上記ＤＶＤレコーダ等の従来の映像記録装置においては、映像情報が＋ＶＲフォーマットに準拠してＤＶＤ＋Ｒ等に格納されている場合に、映像情報を読み出して、他の記録媒体（例えば、ハードディスク）に記録する（＝ダビング）すると、プレイリストに登録されているチャプタのみがダビング先の記録媒体に記録されることになる。
【０００５】
従って、ダビングされた映像情報には、ＤＶＤ＋Ｒ等に隠しチャプタとして設定されていたチャプタが含まれないため、ダビングされていないチャプタ（＝ＤＶＤ＋Ｒ等に隠しチャプタとして設定されていたチャプタ）を再生することができないことになる。そこで、ユーザがダビング後に、ＤＶＤ＋Ｒ等に隠しチャプタとして設定されていたチャプタの再生を所望しても、再生することができないことになり、利便性が損なわれる場合があった。
【０００６】
本発明は、上記課題に鑑みてなされたものであって、＋ＶＲフォーマットに準拠して映像情報が予め格納されたＤＶＤから他の記録媒体に利便性良好にダビングすることの可能な映像記録装置を提供することを目的としている。
【課題を解決するための手段】
【０００７】
上記目的を達成するために請求項１に記載の映像記録装置は、２以上の所定数のチャプタからなる映像情報が＋ＶＲフォーマットに準拠して予め格納されたＤＶＤ（Ｄｉｇｉｔａｌ  Ｖｅｒｓａｔｉｌｅ  Ｄｉｓｋ）から、前記映像情報を読み出して、他の記録媒体に記録可能に構成された映像記録装置であって、外部からの操作入力を受け付けて、受け付けられた操作入力に基づいて、前記所定数のチャプタの中から、再生を禁止するチャプタである隠し（Ｈｉｄｄｅｎ）チャプタを設定するチャプタ設定手段と、外部からの前記映像情報を前記他の記録媒体に記録する旨の操作入力であるダビング指示入力を受け付けて、該ダビング指示入力が受け付けられた場合に、前記チャプタ設定手段によって隠しチャプタに設定されたチャプタを含む前記所定数のチャプタからなる映像情報を前記ＤＶＤから読み出して、読み出された映像情報を前記他の記録媒体に記録するダビング実行手段と、を備えることを特徴としている。
【０００８】
請求項２に記載の映像記録装置は、請求項１に記載の映像記録装置であって、前記チャプタ設定手段によって設定された隠しチャプタに対応する識別情報を、再生対象のチャプタに対応する識別情報がリストとして前記ＤＶＤに格納されたプレイリスト情報から削除するリスト更新手段を備え、前記ダビング実行手段が、前記ダビング指示入力が受け付けられた場合に、前記ＤＶＤに格納されたプレイリスト情報を読み出して、読み出されたプレイリスト情報を前記他の記録媒体に記録することを特徴としている。
【０００９】
請求項３に記載の映像記録装置は、請求項１又は請求項２に記載の映像記録装置であって、前記他の記録媒体が、ハードディスクであることを特徴としている。
【００１０】
請求項４に記載の映像記録装置は、請求項１〜請求項３のいずれかに記載の映像記録装置であって、前記ＤＶＤが、ＤＶＤ＋Ｒ又はＤＶＤ＋ＲＷを含むことを特徴としている。
【発明の効果】
【００１１】
請求項１に記載の映像記録装置によれば、外部からの操作入力が受け付けられて、受け付けられた操作入力に基づいて、ＤＶＤに＋ＶＲフォーマットに準拠して格納された所定数のチャプタの中から、再生を禁止するチャプタである隠し（Ｈｉｄｄｅｎ）チャプタが設定され、外部からの映像情報を他の記録媒体に記録する旨の操作入力であるダビング指示入力が受け付けられて、ダビング指示入力が受け付けられた場合に、隠しチャプタに設定されたチャプタを含む所定数のチャプタからなる映像情報がＤＶＤから読み出されて、読み出された映像情報が他の記録媒体に記録されるため、＋ＶＲフォーマットに準拠して映像情報が予め格納されたＤＶＤから他の記録媒体に利便性良好にダビングすることができる。
【００１２】
すなわち、再生を禁止するチャプタである隠しチャプタが設定されていた場合であっても、隠しチャプタに設定されたチャプタを含む所定数のチャプタからなる映像情報がＤＶＤから読み出されて、読み出された映像情報が他の記録媒体に記録されるため、ダビング先の記録媒体には、ＤＶＤに格納されていた所定数のチャプタが記録されるので、＋ＶＲフォーマットに準拠して映像情報が予め格納されたＤＶＤから他の記録媒体に利便性良好にダビングすることができるのである。
【００１３】
つまり、ＤＶＤにおいて隠しチャプタに設定されたチャプタであっても、ユーザがダビング後に再生することができるため、利便性を向上することができるのである。
【００１４】
請求項２に記載の映像記録装置によれば、設定された隠しチャプタに対応する識別情報が、再生対象のチャプタに対応する識別情報がリストとしてＤＶＤに格納されたプレイリスト情報から削除され、ダビング指示入力が受け付けられた場合に、ＤＶＤに格納されたプレイリスト情報が読み出されて、読み出されたプレイリスト情報が他の記録媒体に記録されるため、＋ＶＲフォーマットに準拠して映像情報が予め格納されたＤＶＤから他の記録媒体に更に利便性良好にダビングすることができる。
【００１５】
すなわち、ＤＶＤに格納されたプレイリスト情報が読み出されて、読み出されたプレイリスト情報が他の記録媒体に記録されるため、ユーザが隠しチャプタを再生しないことを所望する場合には、他の記録媒体に格納されたプレイリスト情報に基づいて再生することによって隠しチャプタを除くチャプタのみを再生することができるので、更に利便性を向上することができるのである。
【００１６】
請求項３に記載の映像記録装置によれば、他の記録媒体がハードディスクであるため、＋ＶＲフォーマットに準拠して映像情報が予め格納されたＤＶＤからハードディスクに利便性良好にダビングすることができる。
【００１７】
請求項４に記載の映像記録装置によれば、ＤＶＤがＤＶＤ＋Ｒ又はＤＶＤ＋ＲＷを含むため、＋ＶＲフォーマットに準拠して映像情報が予め格納されたＤＶＤ＋Ｒ又はＤＶＤ＋ＲＷから他の記録媒体に利便性良好にダビングすることができる。
【発明を実施するための最良の形態】
【００１８】
以下に本発明の実施形態を、図面を参照しながら説明する。図１は、本発明に係るＤＶＤレコーダの構成の一例を示すブロック図である。ＤＶＤレコーダ１（＝ＨＤＤ搭載ＤＶＤレコーダ：映像記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００１９】
ＤＶＤレコーダ１は、リモコン３を介してユーザからの操作入力を受け付けて、受け付けた操作入力に基づいて、テレビジョン放送を受信し、受信した番組情報をＤＶＤ等に格納するものである。また、ＤＶＤレコーダ１は、ＤＶＤ等に格納された番組情報を読み出して、出力装置２に対して映像及び音声を出力するものである。
【００２０】
出力装置２は、ディスプレイ２１及びスピーカ２２を備え、ＤＶＤレコーダ１から入力された音声情報及び映像情報を出力するものである。ディスプレイ２１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＤＶＤレコーダ１から入力された映像情報を外部から視認可能に表示するものである。スピーカ２２は、ＤＶＤレコーダ１から入力された音声情報を出力するものである。
【００２１】
リモコン３（チャプタ設定手段の一部、及び、ダビング実行手段の一部に相当する）は、ユーザからの操作入力を受け付けて、受け付けられた操作入力に対応する赤外線信号を生成して、ＤＶＤレコーダ１に対して出力するものである。
【００２２】
また、ＤＶＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、記録部１９を備えている。更に、記録部１９は、ＨＤＤ１９１、及び、ＤＶＤ記録部１９２を備えている。
【００２３】
ＭＰＵ（Ｍｉｃｒｏ  Ｐｒｏｃｅｓｓｉｎｇ  Ｕｎｉｔ）１１は、ＤＶＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２４】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２５】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２６】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００２７】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２８】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００２９】
ＨＤＤ１９１は、ハードディスク（他の記録媒体に相当する）を備え、ＭＰＵ１１からの指示に従って映像情報、音声情報等の種々の情報をハードディスクに格納すると共に、ハードディスクに格納された映像情報、音声情報等の種々の情報を読み出すものである。ＤＶＤ記録部１９２は、ＤＶＤを載置可能に構成され、載置されたＤＶＤに、ＭＰＵ１１からの指示に従って映像情報、音声情報等の種々の情報を記録する（＝書き込む）と共に、ＤＶＤに格納された映像情報、音声情報等の種々の情報を読み出すものである。
【００３０】
ここでは、ＤＶＤ記録部１９２に載置されたＤＶＤは、ＤＶＤ＋Ｒ又はＤＶＤ＋ＲＷであって、２以上の所定数（例えば、６個：図３参照）のチャプタからなる映像情報が＋ＶＲフォーマットに準拠して予め格納されたものである。
【００３１】
次に、ＤＶＤレコーダ１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３２】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３３】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３４】
図２は、本発明に係るＤＶＤレコーダ１における主要部の構成の一例を示すブロック図である。ＭＰＵ１１は、機能的に、チャプタ設定部１１１、リスト更新部１１２、及び、ダビング実行部１１３を備えている。
【００３５】
ここでは、ＭＰＵ１１が、図１に示すＲＯＭ１３等に予め格納された制御プログラムを読み出して実行することにより、チャプタ設定部１１１、リスト更新部１１２、ダビング実行部１１３等の機能部として機能するものである。
【００３６】
また、図１に示すＲＡＭ１２、ＲＯＭ１３に格納された各種データのうち装着脱可能な記録媒体に格納され得るデータは、例えばＨＤＤ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００３７】
チャプタ設定部１１１（チャプタ設定手段の一部に相当する）は、リモコン３を介して、ユーザからの操作入力を受け付けて、受け付けられた操作入力に基づいて、所定数（ここでは、６個：図３参照）のチャプタの中から、再生を禁止するチャプタである隠しチャプタを設定するものである。
【００３８】
リスト更新部１１２（リスト更新手段に相当する）は、チャプタ設定部１１１によって設定された隠しチャプタに対応する識別情報を、再生対象のチャプタに対応する識別情報がリストとしてＤＶＤ記録部１９２に載置されたＤＶＤ（＝ＤＶＤ＋Ｒ又はＤＶＤ＋ＲＷ）に格納されたプレイリスト情報から削除するものである。
【００３９】
ダビング実行部１１３（ダビング実行手段の一部に相当する）は、リモコン３を介して、ユーザから映像情報をＨＤＤ１９１のハードディスクに記録する旨の操作入力であるダビング指示入力を受け付けて、このダビング指示入力が受け付けられた場合に、チャプタ設定部１１１によって隠しチャプタに設定されたチャプタを含む所定数（ここでは、６個：図３参照）のチャプタからなる映像情報をＤＶＤ記録部１９２に載置されたＤＶＤ（＝ＤＶＤ＋Ｒ又はＤＶＤ＋ＲＷ）から読み出して、読み出された映像情報をＨＤＤ１９１のハードディスクに記録するものである。
【００４０】
また、ダビング実行部１１３は、ダビング指示入力が受け付けられた場合に、ＤＶＤ記録部１９２に載置されたＤＶＤ（＝ＤＶＤ＋Ｒ又はＤＶＤ＋ＲＷ）に格納されたプレイリスト情報を読み出して、読み出されたプレイリスト情報をＨＤＤ１９１のハードディスクに記録するものである。
【００４１】
図３は、プレイリスト情報及び映像情報の一例を示すデータ構成図である。（ａ）は、ＤＶＤ記録部１９２に載置されたＤＶＤ（＝ＤＶＤ＋Ｒ又はＤＶＤ＋ＲＷ）に格納された映像情報のデータ構成図であり、（ｂ）は、ＤＶＤ記録部１９２に載置されたＤＶＤ（＝ＤＶＤ＋Ｒ又はＤＶＤ＋ＲＷ）に格納されたプレイリスト情報であり、（ｃ）は、従来のＤＶＤレコーダによってダビングされた場合にダビング先の記録媒体に格納される映像情報のデータ構成図であり、（ｄ）は、ＤＶＤレコーダ１によってダビングされた場合にＨＤＤ１９１のハードディスクに格納される映像情報のデータ構成図である。
【００４２】
（ａ）に示すように、ＤＶＤには識別情報がＡ〜Ｆである６個のチャプタを有する映像情報が格納されている。また、識別情報がＡ〜Ｆである６個のチャプタの内、識別情報がＢ、Ｄ、Ｅのチャプタが隠しチャプタに設定されている。この場合には、（ｂ）に示すように、プレイリストには、隠しチャプタに設定されていないチャプタである識別情報がＡ、Ｃ、Ｆが格納されている。
【００４３】
また、この場合には、（ｃ）に示すように、従来のＤＶＤレコーダによってダビングされた場合にダビング先の記録媒体は、プレイリストに含まれる（＝隠しチャプタに設定されていない）チャプタである識別情報がＡ、Ｃ、Ｆに対応する映像情報が格納される。これに対して、（ｄ）に示すように、本願発明に係るＤＶＤレコーダ１によってダビングされた場合には、隠しチャプタに設定されていないチャプタ（＝識別情報がＡ、Ｃ、Ｆに対応する映像情報）に加えて、隠しチャプタに設定されているチャプタ（＝識別情報がＢ、Ｄ、Ｅに対応する映像情報）もＨＤＤ１９１のハードディスクに格納される。
【００４４】
このようにして、リモコン３を介してユーザからの操作入力が受け付けられて、受け付けられた操作入力に基づいて、ＤＶＤ記録部１９２に載置されたＤＶＤ（＝ＤＶＤ＋Ｒ又はＤＶＤ＋ＲＷ）に＋ＶＲフォーマットに準拠して格納された所定数（ここでは、６個）のチャプタの中から、再生を禁止するチャプタである隠し（Ｈｉｄｄｅｎ）チャプタが設定され（ここでは、識別情報がＢ、Ｄ、Ｅであるチャプタが隠しチャプタに設定され）、リモコン３を介してユーザからの映像情報を他の記録媒体（ここでは、ＨＤＤ１９１のハードディスク）に記録する旨の操作入力であるダビング指示入力が受け付けられて、ダビング指示入力が受け付けられた場合に、隠しチャプタに設定されたチャプタを含む所定数（ここでは、６個）のチャプタからなる映像情報がＤＶＤ記録部１９２に載置されたＤＶＤから読み出されて、読み出された映像情報が他の記録媒体（ここでは、ＨＤＤ１９１のハードディスク）に記録されるため、＋ＶＲフォーマットに準拠して映像情報が予め格納されたＤＶＤから他の記録媒体（ここでは、ＨＤＤ１９１のハードディスク）に利便性良好にダビングすることができる。
【００４５】
すなわち、再生を禁止するチャプタである隠しチャプタが設定されていた場合であっても、隠しチャプタに設定されたチャプタを含む所定数（ここでは、６個）のチャプタからなる映像情報がＤＶＤから読み出されて、読み出された映像情報が他の記録媒体（ここでは、ＨＤＤ１９１のハードディスク）に記録されるため、ダビング先の記録媒体（ここでは、ＨＤＤ１９１のハードディスク）には、ＤＶＤに格納されていた所定数のチャプタが記録されるので、＋ＶＲフォーマットに準拠して映像情報が予め格納されたＤＶＤから他の記録媒体に利便性良好にダビングすることができるのである。
【００４６】
つまり、ＤＶＤにおいて隠しチャプタに設定されたチャプタ（ここでは、識別情報がＢ、Ｄ、Ｅであるチャプタ）であっても、ユーザがダビング後に再生することができるため、利便性を向上することができるのである。
【００４７】
また、設定された隠しチャプタに対応する識別情報が、再生対象のチャプタに対応する識別情報がリストとしてＤＶＤに格納されたプレイリスト情報から削除され、ダビング指示入力が受け付けられた場合に、ＤＶＤに格納されたプレイリスト情報が読み出されて、読み出されたプレイリスト情報が他の記録媒体（ここでは、ＨＤＤ１９１のハードディスク）に記録されるため、＋ＶＲフォーマットに準拠して映像情報が予め格納されたＤＶＤから他の記録媒体（ここでは、ＨＤＤ１９１のハードディスク）に更に利便性良好にダビングすることができる。
【００４８】
すなわち、ＤＶＤに格納されたプレイリスト情報が読み出されて、読み出されたプレイリスト情報が他の記録媒体に記録されるため、ユーザが隠しチャプタ（ここでは、識別情報がＢ、Ｄ、Ｅであるチャプタ）を再生しないことを所望する場合には、他の記録媒体（ここでは、ＨＤＤ１９１のハードディスク）に格納されたプレイリスト情報に基づいて再生することによって隠しチャプタ（ここでは、識別情報がＢ、Ｄ、Ｅであるチャプタ）を除くチャプタ（ここでは、識別情報がＡ、Ｃ、Ｆであるチャプタ）のみを再生することができるので、更に利便性を向上することができるのである。
【００４９】
なお、本発明は、以下の形態にも適用可能である。
（Ａ）本実施形態では、映像記録装置が、ＨＤＤ１９１を搭載したＤＶＤレコーダ１である場合について説明したが、映像記録装置が、２以上の所定数のチャプタからなる映像情報が＋ＶＲフォーマットに準拠して予め格納されたＤＶＤから、映像情報を読み出して、他の記録媒体に記録可能に構成された装置であればよい。例えば、映像記録装置が、ＶＣＲ（Ｖｉｄｅｏ  Ｃａｓｅｔｔｅ  Ｒｅｃｏｒｄｅｒ）を搭載したＤＶＤレコーダである形態でもよい。
【００５０】
（Ｂ）本実施形態では、他の記録媒体がＨＤＤ１９１のハードディスクである場合について説明したが、他の記録媒体が他の種類の記憶媒体（例えば、ＶＣＲのＶＣ）である形態でもよいし、他の記録媒体が複数の記憶媒体（例えば、ハードディスク、ＶＣ）である形態でもよい。
【００５１】
（Ｃ）本実施形態では、ＭＰＵ１１がチャプタ設定部１１１、リスト更新部１１２、ダビング実行部１１３等の機能部を有する場合について説明したが、リスト更新部１１２、及び、ダビング実行部１１３の少なくとも１つが回路等のハードウェアによって構成されている形態でもよい。
【００５２】
（Ｄ）本実施形態では、チャプタ設定部１１１及びダビング実行部１１３が、リモコン３を介してユーザからの操作入力を受け付ける場合について説明したが、チャプタ設定部１１１及びダビング実行部１１３の少なくとも一方が、図１に示す操作部１４を介してユーザからの操作入力を受け付ける形態でもよい。
【図面の簡単な説明】
【００５３】
【図１】は、本発明に係るＤＶＤレコーダの構成の一例を示すブロック図である。
【図２】は、本発明に係るＤＶＤレコーダにおける主要部の構成の一例を示すブロック図である。
【図３】は、プレイリスト情報及び映像情報の一例を示すデータ構成図である。
【符号の説明】
【００５４】
１    ＤＶＤレコーダ（映像記録装置）
１１    ＭＰＵ
１１１    チャプタ設定部（チャプタ設定手段の一部）
１１２    リスト更新部（リスト更新手段）
１１３    ダビング実行部（ダビング実行手段の一部）
１５    受信部
１９１    ＨＤＤ
１９２    ＤＶＤ記録部
２    出力装置
２１    ディスプレイ
３    リモコン（チャプタ設定手段の一部、ダビング実行手段の一部）
【図１】
2008269731.tif 000003
【図２】
2008269731.tif 000004
【図３】
2008269731.tif 000005